(57)【要約】【課題】清掃用シート材を清掃部に確実に固定する。【解決手段】  清掃用シート材Ｓを清掃部２３に巻き付けてから、立ち上っていた係止アーム２８ａを水平方向に回動すると、係止アーム２８ａの係止部３６ａはばね部材の付勢力に抗して清掃用シート材Ｓ越しに係止片３９を乗り越えて清掃用シート材Ｓを係止する。そして、係止アーム２８はばね部材により付勢され、係止片３９により係止されているので、この係止状態が維持される。この回動に伴って、係止アーム２８ａの軸部３４ａを長孔３３ａが許容する範囲で外側に移動しても、他方の係止アーム２８ｂは長孔３３ｂによりその動きが規制されているので、係止アーム２８ｂの動きは干渉されることはない。係止アーム２８ｂも係止アーム２８ａと同様に、係止片３９を乗り越えて清掃用シート材Ｓを係止し、その係止状態が維持される。【選択図】図６
2015181901.tif 000002
【特許請求の範囲】
【請求項１】
略板体状の清掃部の上面に柄部を設け、一対の対称に配置した係止アームにより下面に清掃用シート材を取り付けて使用する床面清掃具であって、
前記係止アームは矩形枠体の一方の長辺の中央部を切欠した形状の棒体であり、前記係止アームの切欠した長辺の残余の２つの辺部を前記清掃部内において支持して軸部としてそれぞれ回動させ、前記清掃部の長手方向の両端には、前記軸部をそれぞれ挿通し、それぞれの前記軸部に対して前記清掃部の短手方向への移動を規制する長孔を設け、前記軸部同士を水平方向に引っ張り作用するばね部材により内側方向に付勢することを特徴とする床面清掃具。
【請求項２】
前記長孔は前記２つの係止アームのそれぞれの軸部を挿通する２つの長孔としたことを特徴とする請求項１に記載の床面清掃具。
【請求項３】
前記長孔は１つの長孔とし、前記２つの係止アームのそれぞれの軸部を挿通し、前記清掃部内において、前記軸部の移動を規制する規制部を設けたことを特徴とする請求項１に記載の床面清掃具。
【請求項４】
前記清掃部の両縁部には突片状の係止片を設け、前記係止アームの係止部を係止することを特徴とする請求項１〜３の何れか１項に記載の床面清掃具。
【請求項５】
前記係止片の近傍に指を入れて前記係止アームの係止部を持ち上げるための切欠部を設けたことを特徴とする請求項４に記載の床面清掃具。
【請求項６】
前記清掃部の最下層面は柔軟性、弾発性を有する板体状の払拭部としたことを特徴とする請求項１〜５の何れか１項に記載の床面清掃具。
【請求項７】
前記係止アームは金属製としたことを特徴とする請求項１〜６の何れか１項に記載の床面清掃具。
【発明の詳細な説明】
【技術分野】
【０００１】
本発明は、床面等の清掃に適する床面清掃具に関するものである。
【背景技術】
【０００２】
特許文献１には、図１０に示すような従来例の床掃除用のフローリングモップが開示されている。このフローリングモップは柄の先端に取り付けた払拭板１２を有し、払拭板１２はその下面を覆う交換可能な払拭シート１５により覆われている。払拭シート１５の端部１５ａ、１５ｂを払拭板１２上に固定するために、払拭板１２のほぼ全幅に近い長さを有する２個の固定部材１６を、軸受け部１７により払拭板１２に取り付けている。固定部材１６に軸受け部１７の軸方向と平行な固定辺部１８を設けると共に、固定辺部１８が噛み合う凹部１９を払拭板１２上にほぼ全幅に近い長さに形成している。固定部材１６の固定辺部１８が、凹部１９に噛み合うことにより、払拭シート１５を固定部材１６と凹部１９との間で挟んで押さえ込むようにされている。
【先行技術文献】
【特許文献】
【０００３】
【特許文献１】登録実用新案公報第３１１８０７０号公報
【発明の概要】
【発明が解決しようとする課題】
【０００４】
しかし、この特許文献１に記載のフローリングモップでは、固定部材１６の固定辺部１８が凹部１９に噛み合うことにより、払拭シート１５を固定しているだけなので、払拭シート１５を挟持する力が十分ではない。使用を続けると払拭シート１５が徐々にずれ、固定部材１６と凹部１９の間から外れてしまうという問題がある。
【０００５】
特に、払拭シート１５が何かに引っ掛かって、横方向に強く引っ張られた場合には、凹部１９から固定部材１６の噛み合わせが解除され、固定部材１６が上方に開放することがある。更に、固定部材１６の両端には操作片１６ａが設けられており、足等が操作片１６ａに引っ掛かった場合には、簡単に固定部材１６が開放してしまい、払拭シート１５が脱落してしまうという問題もある。
【０００６】
また、特許文献１のフローリングモップの固定辺部１８及び凹部１９は、雑巾等の厚さのある払拭シート材を挟もうとした場合に、払拭シート材の厚さに対応することができず、噛み合わせることができない。
【０００７】
本発明の目的は、上述の課題を解消し、確実に清掃用シート材を固定することができる床面清掃具を提供することにある。
【課題を解決するための手段】
【０００８】
上記目的を達成するための本発明に係る床面清掃具は、略板体状の清掃部の上面に柄部を設け、一対の対称に配置した係止アームにより下面に清掃用シート材を取り付けて使用する床面清掃具であって、前記係止アームは矩形枠体の一方の長辺の中央部を切欠した形状の棒体であり、前記係止アームの切欠した長辺の残余の２つの辺部を前記清掃部内において支持して軸部としてそれぞれ回動させ、前記清掃部の長手方向の両端には、前記軸部をそれぞれ挿通し、それぞれの前記軸部に対して前記清掃部の短手方向への移動を規制する長孔を設け、前記軸部同士を水平方向に引っ張り作用するばね部材により内側方向に付勢することを特徴とする。
【発明の効果】
【０００９】
本発明に係る床面清掃具によれば、ばね部材を介して一対の係止アームを内側に引き寄せる付勢力を作用させることにより、確実に清掃用シート材を固定することができる。また、固定する清掃用シート材として、不織布等の薄手の清掃用シート材以外に、雑巾等の厚手の清掃用シート材も強固に固定することが可能である。
【図面の簡単な説明】
【００１０】
【図１】実施例の床面清掃具の斜視図である。
【図２】清掃部の一部を分解した拡大斜視図である。
【図３】拡大側面図である。
【図４】断面図である。
【図５】清掃部を下方から見た分解斜視図である。
【図６】清掃用シート材の片側を係止アームにより係止した状態の斜視図である。
【図７】この状態の側面図である。
【図８】清掃用シート材の両側の係止アームにより係止した状態の斜視図である。
【図９】この状態の側面図である。
【図１０】従来例のフローリングモップの払拭部の分解斜視図である。
【発明を実施するための形態】
【００１１】
本発明を図１〜図９に図示の実施例に基づいて詳細に説明する。
図１は本実施例の床面清掃具の斜視図、図２は清掃部の一部を分解した拡大斜視図、図３は拡大側面図、図４は断面図、図５は清掃部を下方から見た分解斜視図である。
【００１２】
本実施例の床面清掃具の柄部２１の先端には、連結部２２を介して床面を清掃するための略板体状の清掃部２３が取り付けられ、柄部２１は連結部２２により清掃部２３の上面に対して２つのピン機構により前後左右に回動自在とされている。また、柄部２１は連結部２２に設けた押釦２４により、連結部２２に対し取り外しができるようになっている。なお、本実施例の柄部２１は前後左右に回動自在としたが、前後又は左右にのみ回動自在な柄部２１を用いてもよく、更に連結部２２を備えずに、柄部２１を清掃部２３に直接連続する構造にしてもよい。
【００１３】
清掃部２３は、連結部２２を取り付け硬質の合成樹脂材から成る矩形状の表面板２５と、この表面板２５の下部に取り付けられ硬質の合成樹脂材から成る基体２６と、この基体２６の下側であって、清掃部２３の下層に接合し、最下層面として基体２６よりも稍々大きくウレタン樹脂等の柔軟性、弾発性を有する合成樹脂材から成る板体状の払拭部２７とが一体とされている。
【００１４】
払拭部２７の底面には、後述する一対の係止アーム２８ａ、２８ｂにより例えば不織布等から成る使い捨ての清掃用シート材を取り付けた際に、清掃用シート材が滑り難く、また床面に対する摺擦抵抗を増すための多数本の突条２９が長手方向に形成されている。これらの突条２９間に清掃用シート材を介して様々の大きさのごみを付着させるために、突条２９は底面の中央部に位置するものほど大きく、短手方向の両側に向うにつれ小さくなっている。
【００１５】
また、表面板２５の短辺側面の下縁部には、鉛直面の一部を切り欠いた２個の溝部３０ａ、３０ｂが形成されている。また、表面板２５の長手方向の両端の裏面には、図５に示すようにカバー３１が取付自在とされており、このカバー３１の上縁部には溝部３０ａ、３０ｂと対応する溝部３２ａ、３２ｂが形成されている。カバー３１が表面板２５に取り付けられると、溝部３０ａと３２ａ、溝部３０ｂと３２ｂが対応して、２個の長孔３３ａ、３３ｂが形成されるようになっている。
【００１６】
このように、表面板２５の短辺側面毎に２個ずつの計４個の長孔３３ａ、３３ｂには、基体２６の長手方向に平行とする中央線に対して対称的に配置した２つの係止アーム２８ａ、２８ｂのそれぞれ２つの軸部３４ａ、３４ｂが回動自在に挿通し、支持されている。係止アーム２８ａ、２８ｂは例えば金属棒を矩形枠状に折曲し、その一方の長辺の中心部を切り欠いて突出した残余の２つの辺部を軸部３４ａ、３４ｂとしている。また、係止アーム２８ａ、２８ｂの短辺を短辺部３５ａ、３５ｂとし、係止アーム２８ａ、２８ｂの残された反対側の長辺は係止部３６ａ、３６ｂとして清掃用シート材を係止するために用いられる。
【００１７】
表面板２５とカバー３１が取り付けた個所であって、短手方向に沿った両縁部の基体２６内には、コイルスプリング等から成り、水平方向にのみ伸長可能な引っ張りばね部材３７が配置されている。軸部３４ａ、３４ｂにはこのばね部材３７の端部が取り付けられ、軸部３４ａ、３４ｂは水平方向に作用するばね部材３７により、常に長孔３３ａ、３３ｂの内側方向の端部に引き寄せられている。
【００１８】
係止アーム２８ａ、２８ｂは清掃部２３に対する平行状態である水平状態から立ち上がり状態である垂直状態に至るまで軸部３４ａ、３４ｂを中心として約９０度の回動が可能とされている。
【００１９】
また、ばね部材３７の近傍の基体２６には、ばね部材３７が基体２６の長手方向への位置ずれを防止するために、ばね部材３７と平行にばね規制部３８が立設されている。
【００２０】
また、表面板２５の長手方向に沿った両縁部には、係止アーム２８ａ、２８ｂの係止部３６ａ、３６ｂを係止するための突片状の係止片３９ａ、３９ｂが２個ずつ設けられている。更に、係止片３９ａ、３９ｂの間には、係止アーム２８ａ、２８ｂの係止を解除し易くするために、表面板２５の一部を切り欠いた切欠部４０ａ、４０ｂが設けられている。なお、係止片３９ａ、３９ｂは、長手方向に沿った縁部に対して、少なくとも１個備えていればよく、長さも縁部全長に沿って設ける等、適宜の長さを採用することが可能である。
【００２１】
図６は清掃部２３に係止アーム２８ａにより清掃用シート材Ｓの片側を係止した状態の斜視図、図７はその側面図である。清掃用シート材Ｓを清掃部２３に巻き付けてから、立ち上っていた係止アーム２８ａを水平方向に回動すると、係止アーム２８ａはばね部材３７の付勢力に抗して、清掃用シート材Ｓ越しに係止片３９ａを乗り越えて清掃用シート材Ｓを係止する。そして、係止アーム２８ａはばね部材３７により長孔３３ａの内側方向の端部に引き寄せられるように付勢され、係止片３９ａにより係止されているので、この係止状態は維持される。
【００２２】
係止アーム２８ａの回動に伴って軸部３４ａが長孔３３ａが許容する範囲で外側に移動しても、他方の係止アーム２８ｂは長孔３３ｂによりその動きが規制されているので、係止アーム２８ｂの動きは干渉されることはない。
【００２３】
実施例においては、軸部３４ａ、３４ｂの移動規制のために２つの長孔３３ａ、３３ｂを形成したが、長孔を１個として、軸部３４ａ、３４ｂの短手方向への移動をばね規制部３８により規制するようにしてもよい。
【００２４】
図８は清掃部２３に清掃用シート材Ｓを配置し、両側の係止アーム２８ａ、２８ｂにより清掃用シート材Ｓを係止した状態の斜視図、図９はその側面図を示している。清掃用シート材Ｓの一方の長辺部を係止アーム２８ａによって固定した後に、清掃用シート材Ｓを払拭部２７に巻き付け、清掃用シート材Ｓの他方の長辺部を係止アーム２８ｂによって固定する。係止アーム２８ｂも係止アーム２８ａと同様に、係止片３９ｂを乗り越えて清掃用シート材Ｓを係止し、係止アーム２８ｂはばね部材３７により長孔３３ｂの内側方向の端部に引き寄せられるように付勢される。係止片３９ｂにより係止アーム２８ｂは係止されているので、この係止状態は維持される。
【００２５】
清掃用シート材Ｓは係止アーム２８ａ、２８ｂに係止されることにより弾発性を有する払拭部２７の底面に密着するので、清掃用シート材Ｓは床面に対する払拭部２７の弾発性を利用して床面を清掃することができる。清掃部２３は前後左右に回動できるので、清掃時に被清掃面に合わせて清掃部２３を長手方向又は短手方向に移動させることができる。
【００２６】
また、払拭部２７の下面に多数本の突条２９を設けたことにより、払拭部２７に清掃用シート材Ｓが喰い込み、清掃部２３の短手方向の動きに対しては抵抗となり、清掃用シート材Ｓには突条２９に沿って汚れや毛髪、塵芥等のごみが線状に付着する。また、突条２９の大きさは中央部ほど大きいので、清掃用シート材Ｓの底面は大きく円弧状に膨らみ、清掃がし易くなる。
【００２７】
清掃用シート材Ｓの両端部は、長孔３３ａ、長孔３３ｂの内側方向の端部に引き寄せられた係止アーム２８ａ、２８ｂにより、確実に固定される。棒状の係止部３６ａ、３６ｂにより清掃用シート材Ｓを取り付けて使用することで、清掃部２３を短手方向に激しく摺動したり、或いは清掃用シート材Ｓを部分的に引っ張ったとしても清掃用シート材Ｓがずれたりすることがない。また、清掃部２３を長手方向に激しく摺動した場合においては、係止部３６ａ、３６ｂのよる固定に加えて短辺部３５ａ、３５ｂによる清掃用シート材Ｓの固定により、清掃用シート材Ｓが破れたり、ずれたりすることがない。
【００２８】
更に、係止片３９ａ、３９ｂにより、係止アーム２８ａ、２８ｂが開放状態になることを規制しているので、多少の衝撃が清掃部２３に加わったとしても、係止アーム２８ａ、２８ｂの係止状態が解除されてしまうこともない。
【００２９】
また、本実施例では固定する清掃用シート材Ｓとして、不織布等から成る薄手の清掃用シート材を用いて説明したが、ばね部材３７は取付の際に付勢力に抗して或る程度外側に引っ張ることができるので、厚手の清掃用シート材、例えば雑巾等であっても固定することが可能である。
【００３０】
例えば雑巾を固定する際は、係止部３６ａ、３６ｂが雑巾を挟んだ状態で、ばね部材３７の付勢力に抗して外側に引っ張りながら、係止片３９ａ、３９ｂを乗り越えて固定することになる。係止片３９ａ、３９ｂを乗り越えた後は、雑巾は厚みがある分、ばね部材３７の内側に引き寄せる付勢力は増し、雑巾は強固に固定される。
【００３１】
清掃用シート材Ｓがごみで汚れ清掃部２３から取り外す際には、切欠部４０ａ、４０ｂに指を挿し込み、係止アーム２８ａ、２８ｂの係止部３６ａ、３６ｂを摘んでばね部材３７の付勢力に抗して外側に引きながら上方に持ち上げる。これにより係止アーム２８ａ、２８ｂは、係止片３９ａ、３９ｂを乗り越えて係止が解除されるので、清掃用シート材Ｓを簡単に取り外すことができる。
【符号の説明】
【００３２】
２１  柄部
２２  連結部
２３  清掃部
２５  表面板
２６  基体
２７  払拭部
２８ａ、２８ｂ  係止アーム
３３ａ、３３ｂ  長孔
３４ａ、３４ｂ  軸部
３７  ばね部材
３９ａ、３９ｂ  係止片
４０ａ、４０ｂ  切欠部
Ｓ  清掃用シート材
【図１】
2015181901.tif 000003
【図２】
2015181901.tif 000004
【図３】
2015181901.tif 000005
【図４】
2015181901.tif 000006
【図５】
2015181901.tif 000007
【図６】
2015181901.tif 000008
【図７】
2015181901.tif 000009
【図８】
2015181901.tif 000010
【図９】
2015181901.tif 000011
【図１０】
2015181901.tif 000012